(57)【要約】【課題】容易に中断時の作業環境を再現することができる情報端末及び無線タグを提供する。【解決手段】情報を記憶するＩＣ回路部１５０を備えた無線タグ回路素子Ｔoとの間で無線通信により情報の送受信を行うアンテナ３０６を備えたタグカード製造装置３００と接続可能なＰＣであって、操作者が作業用の操作入力を行うための操作部１０２と、操作者に対し表示を行う表示部１０１と、操作者による現在の個人作業情報を、タグカード製造装置３００においてアンテナ３０６を介し無線タグ回路素子Ｔoへ送信し、ＩＣ回路部１５０へ書き込むためのタグ作成指示信号を出力する制御回路１０５とを有する。【選択図】図２
2008065450.tif 000002
【特許請求の範囲】
【請求項１】
情報を記憶するＩＣ回路部を備えた無線タグ回路素子との間で無線通信により情報の送受信を行う第１通信手段を備えた無線タグ作成装置と接続可能な情報端末であって、
操作者が作業用の操作入力を行うための作業用操作手段と
前記操作者に対し表示を行う第１表示手段と、
前記操作者による現在の個人作業情報又はこれに対応する情報を、前記無線タグ作成装置において前記第１通信手段を介し前記無線タグ回路素子へ送信し、前記ＩＣ回路部へ書き込むための書き込み制御信号を出力する書き込み制御信号出力手段と
を有することを特徴とする情報端末。
【請求項２】
請求項１記載の情報端末において、
前記操作者による現在の個人作業情報のうち、前記無線タグ回路素子の前記ＩＣ回路部へ書き込むべき情報と書き込まない情報とを判別する判別手段を有し、
前記書き込み制御信号出力手段は、前記判別手段で書き込むべき情報と判別された個人作業情報又はこれに対応する情報を、前記ＩＣ回路部へ書き込むための前記書き込み制御信号を出力するための信号を出力する
ことを特徴とする情報端末。
【請求項３】
請求項２記載の情報端末において、
前記書き込み制御信号出力手段は、
前記個人作業情報としての、現在より所定時間範囲内に前記第１表示手段に表示されていた又は前記作業用操作手段の操作入力で編集されていたアプリケーションファイルの作業情報又はこれに対応する情報を、前記ＩＣ回路部へ書き込むための前記書き込み制御信号を出力するための信号を出力する
ことを特徴とする情報端末。
【請求項４】
請求項３記載の情報端末において、
前記書き込み制御信号出力手段は、
現在より所定時間範囲内に前記第１表示手段に表示されていた複数のアプリケーションファイルの作業情報又はこれに対応する情報を、前記ＩＣ回路部へ書き込むための前記書き込み制御信号を出力するための信号を出力する
ことを特徴とする情報端末。
【請求項５】
請求項２記載の情報端末において、
前記書き込み制御信号出力手段は、
前記個人作業情報としての、現在より所定時間範囲内に前記第１表示手段に表示されていた少なくとも１つのショートカット情報又はこれに対応する情報を、前記ＩＣ回路部へ書き込むための前記書き込み制御信号を出力するための信号を出力する
ことを特徴とする情報端末。
【請求項６】
請求項５記載の情報端末において、
前記書き込み制御信号出力手段は、
現在より所定時間範囲内に前記第１表示手段に表示されていたすべてのショートカット情報又はこれに対応する情報を、前記ＩＣ回路部へ書き込むための前記書き込み制御信号を出力するための信号を出力する
ことを特徴とする情報端末。
【請求項７】
請求項１乃至６のいずれか１項記載の情報端末において、
前記書き込み制御信号出力手段は、
所定のタイミングで自動的に前記書き込み制御信号を出力することを特徴とする情報端末。
【請求項８】
請求項７記載の情報端末において、
前記書き込み制御信号出力手段は、
前記所定のタイミングとして、前記作業用操作手段の非操作連続時間に対応した前記第１表示手段の表示切り替えに基づき、前記書き込み制御信号を出力することを特徴とする情報端末。
【請求項９】
請求項１乃至６のいずれか１項記載の情報端末において、
操作者が前記個人作業情報の書き込みを指示入力するための書き込み指示用操作手段を有し、
前記書き込み制御信号出力手段は、
前記書き込み指示用操作手段における前記指示入力に応じて前記書き込み制御信号を出力することを特徴とする情報端末。
【請求項１０】
請求項７乃至９のいずれか１項記載の情報端末において、
前記第１表示手段は、
前記書き込み制御信号出力手段が前記書き込み制御信号を出力する前に、前記書き込み制御信号を出力するかどうかの選択を前記操作者に促す選択表示を行うことを特徴とする情報端末。
【請求項１１】
情報を記憶するＩＣ回路部を備えた無線タグ回路素子との間で無線通信により情報の送受信を行う第２通信手段を備えた無線タグ情報読み取り装置と接続可能な情報端末であって、
前記無線タグ情報読み取り装置が、前記第２通信手段を介して前記操作者による個人作業情報又はこれに対応する情報を前記無線タグ回路素子から読み取るための読み取り制御信号を出力する読み取り制御信号出力手段と、
前記読み取り制御信号に応じた前記無線タグ情報読み取り装置による読み取り結果に基づき、前記個人作業情報に対応した表示を行う第２表示手段と
を有することを特徴とする情報端末。
【請求項１２】
請求項１１記載の情報端末であって、
前記無線タグ回路素子の前記ＩＣ回路部は、対応する前記個人作業情報の種別に係わる識別子を記憶しており、
前記第２表示手段は、
前記無線タグ情報読み取り装置による前記読み取り結果に含まれる前記識別子に応じた表示を行う
ことを特徴とする情報端末。
【請求項１３】
情報を記憶可能なＩＣ回路部とこのＩＣ回路部に接続されるタグ側アンテナとを備えた無線タグ回路素子を有し、
前記ＩＣ回路部は、
操作者の情報端末における現在の個人作業情報又はこれに対応する情報を記憶保持していることを特徴とする無線タグ。
【発明の詳細な説明】
【技術分野】
【０００１】
本発明は、非接触で情報の読み取り／書き込みを行える無線タグ、その無線タグを作成するための無線タグ作成装置及び無線タグの無線タグ情報を読み取るための無線タグ情報読み取り装置と接続可能な情報端末に関する。
【背景技術】
【０００２】
小型の無線タグとリーダ（読み取り装置）／ライタ（書き込み装置）との間で非接触で情報の読み取り／書き込みを行うＲＦＩＤ（Radio Frequency Identification）システムが知られている。無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用化されつつある。
【０００３】
例えば個人の作業環境を再現するために上記ＲＦＩＤを用いた従来技術として、特許文献１に記載のものがある。この従来技術では、ユーザが所有するカードに備えられた無線タグにシートの高さ・背もたれの傾斜情報や照明・エアコンの設定情報、文書媒体の記載内容（又は表示媒体の表示内容）等を含む作業環境情報が記憶されており、無線タグ情報読み取り装置（カードリーダ）で当該無線タグより無線タグ情報の読み取りを行うと、自動的に設備を制御して上記ユーザの作業環境を再現できるようになっている。
【特許文献１】特開２００４−２０６６９８号公報（第１８−２２頁）
【発明の開示】
【発明が解決しようとする課題】
【０００４】
上記従来技術では、文書媒体における電子ページの記載内容を再現することが可能であるが、当該電子ページの記載内容とは一般にユーザによる作成・編集が終了しハードディスク等の記憶装置に保存された文書情報を指す。したがって、例えばユーザが何らかの事情により文書の作成・編集等の作業途中で作業を中断し、後になって異なる時間に当該中断時の作業状況より作業を再開したい場合のように、作成・編集内容を保存していない状態において他のユーザの端末使用等により作業環境が閉じられた場合には、ユーザが意図する作業環境を再現することができなかった。
【０００５】
さらに、例えばＰＣ端末を用いてユーザが作業を行う場合、作業環境を再現する際にはユーザがデスクトップ上に作成している作業設定（例えばショートカット）を復元することが重要である。しかしながら、上記従来技術では表示媒体の表示内容（表示媒体に表示させるべき文字、図表、画像等を規定するデータ）しか再現することができないため、デスクトップの画像情報しか再現されず（すなわちショートカットの画像情報のみ再現されそのパス情報まで再現されず、ショートカットとして機能しない）、作業設定を再現することができなかった。
【０００６】
本発明の目的は、容易に中断時の作業環境を再現することができる情報端末及び無線タグを提供することにある。
【課題を解決するための手段】
【０００７】
上記目的を達成するために、第１の発明は、情報を記憶するＩＣ回路部を備えた無線タグ回路素子との間で無線通信により情報の送受信を行う第１通信手段を備えた無線タグ作成装置と接続可能な情報端末であって、操作者が作業用の操作入力を行うための作業用操作手段と前記操作者に対し表示を行う第１表示手段と、前記操作者による現在の個人作業情報又はこれに対応する情報を、前記無線タグ作成装置において前記第１通信手段を介し前記無線タグ回路素子へ送信し、前記ＩＣ回路部へ書き込むための書き込み制御信号を出力する書き込み制御信号出力手段とを有することを特徴とする。
【０００８】
本願第１発明の情報端末においては、操作者は、第１表示手段に表示を行わせつつ、作業用操作手段を介し操作入力を行い、所定の作業を行うことができる。このとき、この情報端末は、無線タグ回路素子と無線通信可能な第１通信手段を備えた無線タグ作成装置に接続されており、書き込み制御信号出力手段によって書き込み制御信号が出力される。これにより、操作者の現在の個人作業情報（又はそれに対応する情報）が、無線タグ作成装置の第１通信手段を介し無線タグ回路素子のＩＣ回路部に書き込まれる。
【０００９】
このように、操作者が何らかの事情により作業途中で作業を中断し後になって異なる時間に当該中断時の作業状況（アプリケーションファイルへの作業状況等）より作業を再開したい場合、あるいは、異なる情報端末において元の情報端末における作業設定（ショートカット等）を実行したい場合等において、当該無線タグ回路素子より読み取った個人作業情報を用いて、容易に中断時の作業環境（作業状況又は作業設定）を再現（復元）することができる。
【００１０】
第２の発明は、上記第１発明において、前記操作者による現在の個人作業情報のうち、前記無線タグ回路素子の前記ＩＣ回路部へ書き込むべき情報と書き込まない情報とを判別する判別手段を有し、前記書き込み制御信号出力手段は、前記判別手段で書き込むべき情報と判別された個人作業情報又はこれに対応する情報を、前記ＩＣ回路部へ書き込むための前記書き込み制御信号を出力するための信号を出力することを特徴とする。
【００１１】
本願第２発明においては、操作者による現在の個人作業情報のうち、判別手段で書き込むべき情報と判別された所定の個人作業情報のみ無線タグ回路素子のＩＣ回路部に書き込む。これにより、不要な情報が無線タグ回路素子のＩＣ回路部に書き込まれるのを防止でき、ＩＣ回路部の記憶容量の無駄な使用を防止することができる。
【００１２】
第３の発明は、上記第２発明において、前記書き込み制御信号出力手段は、前記個人作業情報としての、現在より所定時間範囲内に前記第１表示手段に表示されていた又は前記作業用操作手段の操作入力で編集されていたアプリケーションファイルの作業情報又はこれに対応する情報を、前記ＩＣ回路部へ書き込むための前記書き込み制御信号を出力するための信号を出力することを特徴とする。
【００１３】
これにより、操作者が所定のアプリケーションを用いて第１表示手段に表示させつつ（又は作業用操作手段により編集しつつ）ファイルを使用していたとき、何らかの事情で作業途中で作業を中断した場合であっても、後になって容易に中断時の当該アプリケーションファイルの表示状態（又は編集状態）を再現（復元）することができる。
【００１４】
第４の発明は、上記第３発明において、前記書き込み制御信号出力手段は、現在より所定時間範囲内に前記第１表示手段に表示されていた複数のアプリケーションファイルの作業情報又はこれに対応する情報を、前記ＩＣ回路部へ書き込むための前記書き込み制御信号を出力するための信号を出力することを特徴とする。
【００１５】
これにより、操作者が複数のアプリケーションを用いて第１表示手段に表示させつつファイルを使用していたとき、後になって容易に中断時の表示状態（又は編集状態）を再現（復元）することができる。
【００１６】
第５の発明は、上記第２発明において、前記書き込み制御信号出力手段は、前記個人作業情報としての、現在より所定時間範囲内に前記第１表示手段に表示されていた少なくとも１つのショートカット情報又はこれに対応する情報を、前記ＩＣ回路部へ書き込むための前記書き込み制御信号を出力するための信号を出力することを特徴とする。
【００１７】
これにより、操作者が所定のショートカットを設定して第１表示手段に表示させていたときに、異なる情報端末において容易に当該ショートカットの設定を再現（復元）することができる。
【００１８】
第６の発明は、上記第５発明において、前記書き込み制御信号出力手段は、現在より所定時間範囲内に前記第１表示手段に表示されていたすべてのショートカット情報又はこれに対応する情報を、前記ＩＣ回路部へ書き込むための前記書き込み制御信号を出力するための信号を出力することを特徴とする。
【００１９】
これにより、もとの情報端末において操作者が設定していたすべてのショートカットを、異なる情報端末において再現する（言い換えればショートカット設定を複製する）ことができる。
【００２０】
第７の発明は、上記第１乃至第６発明のいずれかにおいて、前記書き込み制御信号出力手段は、所定のタイミングで自動的に前記書き込み制御信号を出力することを特徴とする。
【００２１】
これにより、操作者が特に何らかの操作を行わなくても、所定のタイミングが到来することで自動的に操作者の現在の個人作業情報（又はそれに対応する情報）が無線タグ回路素子のＩＣ回路部に書き込まれるので、操作者の操作負担がなく、さらに容易に中断時の作業環境を再現（復元）することができる。
【００２２】
第８の発明は、上記第７発明において、前記書き込み制御信号出力手段は、前記所定のタイミングとして、前記作業用操作手段の非操作連続時間に対応した前記第１表示手段の表示切り替えに基づき、前記書き込み制御信号を出力することを特徴とする。
【００２３】
情報端末においては、非操作状態が所定の時間連続すると表示手段を対応する所定の表示状態に切り替えるいわゆるスクリーンセーバが設けられている場合がある。本願第８発明はこれに対応して、このような表示切り替えに連動して自動的に個人作業情報（又はそれに対応する情報）を無線タグ回路素子のＩＣ回路部に書き込むことができる。
【００２４】
第９の発明は、上記第１乃至第６発明のいずれかにおいて、操作者が前記個人作業情報の書き込みを指示入力するための書き込み指示用操作手段を有し、前記書き込み制御信号出力手段は、前記書き込み指示用操作手段における前記指示入力に応じて前記書き込み制御信号を出力することを特徴とする。
【００２５】
これにより、操作者の操作を介し、確実に、操作者の現在の個人作業情報（又はそれに対応する情報）を無線タグ回路素子のＩＣ回路部に書き込むことができる。
【００２６】
第１０の発明は、上記第７乃至第９発明のいずれかにおいて、前記第１表示手段は、前記書き込み制御信号出力手段が前記書き込み制御信号を出力する前に、前記書き込み制御信号を出力するかどうかの選択を前記操作者に促す選択表示を行うことを特徴とする。
【００２７】
これにより、操作者に対し、最終的な書き込み実行確認を行うことができる。
【００２８】
第１１の発明は、情報を記憶するＩＣ回路部を備えた無線タグ回路素子との間で無線通信により情報の送受信を行う第２通信手段を備えた無線タグ情報読み取り装置と接続可能な情報端末であって、前記無線タグ情報読み取り装置が、前記第２通信手段を介して前記操作者による個人作業情報又はこれに対応する情報を前記無線タグ回路素子から読み取るための読み取り制御信号を出力する読み取り制御信号出力手段と、前記読み取り制御信号に応じた前記無線タグ情報読み取り装置による読み取り結果に基づき、前記個人作業情報に対応した表示を行う第２表示手段とを有することを特徴とする。
【００２９】
本願第１１発明の情報端末は、無線タグ回路素子と無線通信可能な第２通信手段を備えた無線タグ情報読み取り装置に接続されており、読み取り制御信号出力手段によって読み取り制御信号が出力される。これにより、無線タグの無線タグ回路素子のＩＣ回路部に予め記憶されている、操作者の情報端末における現在の個人作業情報（又はそれに対応する情報）が無線タグ情報読み取り装置で読み取られ、さらにこれに接続された情報端末で当該個人作業情報を取得し、第２表示手段にて対応する表示を行うことができる。
【００３０】
これにより、操作者が何らかの事情により作業途中で作業を中断し後になって異なる時間に当該中断時の作業状況（アプリケーションファイルへの作業状況等）より作業を再開したい場合、あるいは、異なる情報端末において元の情報端末における作業設定（ショートカット等）を実行したい場合等において、容易に中断時の作業環境（作業状況又は作業設定）を再現（復元）することができる。
【００３１】
第１２の発明は、上記第１１発明において、前記無線タグ回路素子の前記ＩＣ回路部は、対応する前記個人作業情報の種別に係わる識別子を記憶しており、前記第２表示手段は、前記無線タグ情報読み取り装置による前記読み取り結果に含まれる前記識別子に応じた表示を行うことを特徴とする。
【００３２】
これにより、識別子の種類に応じて、迅速かつ円滑に当該識別子に対応した個人作業情報の表示を行うことができる。
【００３３】
第１３の発明は、情報を記憶可能なＩＣ回路部とこのＩＣ回路部に接続されるタグ側アンテナとを備えた無線タグ回路素子を有し、前記ＩＣ回路部は、操作者の情報端末における現在の個人作業情報又はこれに対応する情報を記憶保持していることを特徴とする。
【００３４】
本願第１３発明の無線タグにおいては、操作者の情報端末における現在の個人作業情報（又はそれに対応する情報）が無線タグ回路素子のＩＣ回路部に書き込まれ記憶保持されている。
【００３５】
これにより、操作者が、異なる時間において、作業中断時の作業状況（アプリケーションファイルへの作業状況等）より作業を再開したい場合、あるいは、異なる情報端末において元の情報端末における作業設定（ショートカット等）を実行したい場合等において、当該無線タグ回路素子より個人作業情報を読み取って用いることにより、容易に中断時の作業環境（作業状況又は作業設定）を再現（復元）することができる。
【発明の効果】
【００３６】
本発明によれば、容易に中断時の作業環境を再現することができる。
【発明を実施するための最良の形態】
【００３７】
以下、本発明の一実施の形態を図面を参照しつつ説明する。本実施形態は、例えば複数の操作者によって使用される共用の端末において、作業を途中で中断した操作者がその後同一の端末で作業状態を再現して作業を再開する場合の例である。
【００３８】
図１は、本実施形態の情報端末であるＰＣ１００を含む無線タグシステム全体を表すシステム構成図である。
【００３９】
図１に示す無線タグシステム１０は、情報を記憶するＩＣ回路部１５０とこのＩＣ回路部１５０に接続されるアンテナ１５１とを備えた無線タグ回路素子Ｔo（後述の図６、図７等参照）を有するタグカード１（無線タグ）を作成するための上記タグカード製造装置３００と、このタグカード製造装置３００で作成したタグカード１から無線通信により情報の読み取りを行うためのアンテナ２１０（第２通信手段）を有するリーダ２００と、上記タグカード製造装置３００と例えばＵＳＢケーブル等の接続手段２を介して接続されると共に、上記リーダ２００と例えばＵＳＢケーブル等の接続手段３を介して接続され、表示部１０１及び操作部１０２等を有するＰＣ端末（又は汎用コンピュータ。以下、「ＰＣ」と記載）１００とを備えている。
【００４０】
図２は、上記無線タグシステム１０のうち、ＰＣ１００及びタグカード製造装置３００を抽出してその詳細機能を表す機能ブロック図である。
【００４１】
この図２において、ＰＣ１００は、操作者が例えば文書の作成・編集等の作業を行うために操作入力を行うための適宜のボタン、キー、マウス等を備えた上記操作部１０２（作業用操作手段、書き込み指示用操作手段）と、操作者に対し表示を行うための上記表示部１０１（第１表示手段、第２表示手段）と、各種アプリケーションソフトや電子ファイル等が格納されるハードディスク等の記憶部としてのデータベース（以下、単にデータベースと記載）１０３と、上記タグカード製造装置３００との間で接続手段２を介して行われる通信の制御を行う通信制御部１０４と、これら表示部１０１、操作部１０２、データベース１０３及び通信制御部１０４を含むＰＣ１００全体の動作を制御する制御回路１０５とを有する。
【００４２】
一方、タグカード製造装置３００は、所定間隔で無線タグ回路素子Ｔoが備えられたタグテープ３０３を巻回したタグテープロール３０４を着脱可能な（又はタグテープロール３０４を備えたカートリッジを着脱可能な）タグテープロールホルダ部３１０と、このタグテープロール３０４から繰り出されたタグテープ３０３のうち上記無線タグ回路素子Ｔoに対応した領域Ｓ（後述の図６参照）に所定の印字を行う印字ヘッド３０５と、無線タグ回路素子Ｔoとの間で無線通信により情報の送受信を行うアンテナ３０６（第１通信手段）と、高周波回路３０１及び制御回路３０２と、上記ＰＣ１００との間で接続手段２を介して行われる通信の制御を行う通信制御部３０８と、タグテープ３０３への印字及び無線タグ回路素子Ｔoへの上記情報書き込みが終了したタグテープ３０３を所定の長さに切断してタグカード１とするカッタ３０７と、印字ヘッド３０５に対向して設けられ、制御回路３０２により制御されてタグテープロール３０４を搬送する搬送装置３０９とを有する。
【００４３】
高周波回路３０１及び制御回路３０２は、無線タグ回路素子ＴoのＩＣ回路部１５０へのアクセス情報を生成し、アンテナ３０６を介して無線タグ回路素子Ｔoへ送信し、無線タグ回路素子ＴoのＩＣ回路部１５０へ情報書き込みを行う。また制御回路３０２は上記接続手段２を介してＰＣ１００と接続されており、このＰＣ１００と情報の送受が可能となっている。
【００４４】
このような構成において、操作者がＰＣ１００の上記操作部１０２を用いて作業（例えば文書ファイルの作成等）を行っている最中に、例えば急な来客又は電話に出る等の事情により途中で作業を中断した場合、作業中止後所定の時間経過後に、当該操作者による作業中断時の作業状態を表す個人作業情報（詳細は後述）がＰＣ１００のデータベース１０３に保存され、ＰＣ１００からタグ作成指示信号が接続手段２を介してタグカード製造装置３００に対し送信される。当該信号を受信したタグカード製造装置３００は、上記操作者又は個人作業情報に基づく所定の印字を印字ヘッド３０５により行うと共に、高周波回路３０１によりアクセス情報を生成して装置側アンテナ３０６を介して無線タグ回路素子Ｔoに送信し、無線タグ回路素子ＴoのＩＣ回路部１５０へ上記個人作業情報の書き込みを行う。このようにして、上記個人作業情報を記憶させたタグカード１が作成される。
【００４５】
図３は、上記タグカード作成時にＰＣ１００の制御回路１０５によって実行される制御手順を表すフローチャートである。
【００４６】
図３において、まずステップＳ１０では、タグ作成処理を開始するか否かを判定する。具体的には、操作者の作業中止後タグ作成処理を開始するまでの時間（言い換えれば操作部１０２の非操作連続時間）が予め設定されており、操作者の作業中止後当該設定時間が経過したか否かを判定する。なお、本実施形態では、上記設定時間に合わせて表示部１０１の表示切り替え（いわゆるスクリーンセーバの動作）が行われるように設定されており、スクリーンセーバの動作に連動して自動的にタグ作成処理を開始するようになっている。
【００４７】
次のステップＳ２０では、操作者による作業中断時の作業状態を表す個人作業情報をデータベース１０３に保存する。この個人作業情報は、操作者が作業に使用しているアプリケーションを表すアプリケーション情報、そのアプリケーションを用いて作業中のファイル内容を表すファイル情報、及び上記アプリケーションを用いて行っているファイルの作業状況を表す作業状況情報とから構成されている（後述の図４参照）。
【００４８】
次のステップＳ３０では、無線タグ回路素子Ｔoの識別情報であるタグＩＤ及びタグカード１の上記印字領域Ｓに印字する印字情報を設定する。このとき、タグＩＤは自動的に割りふられ設定されるようになっており、また印字情報についても操作者又は上記個人作業情報に関連する情報（例えば操作者名。後述の図６参照）が自動的に設定されるようになっている。そして、設定したタグＩＤ及び印字情報をデータベース１０３に保存する。なお、当該タグＩＤと印字情報は上記個人作業情報と関連付けられてＰＣ１００のデータベース１０３に保存されるようになっている。
【００４９】
なお、上記では操作者名をタグカード１に印字する印字情報としたが、例えば中断した作業手順内容やそのとき用いたアプリケーション情報、又は作業ファイル名等、個人作業情報に関連する情報を印字情報としてもよい。また、上記ではタグＩＤ及び印字情報が制御回路１０５によって自動的に設定されるようにしたが、これに限られず、予め操作者が決定して設定するようにしてもよい。
【００５０】
次のステップＳ４０では、通信制御部１０４及び接続手段２を介してタグカード製造装置３００の制御回路３０２に対し、タグカード１の作成指示を行うためのタグ作成指示信号を送信する。そして、このフローを終了する。
【００５１】
図４は、操作者が作業を途中で中断した際のＰＣ１００の表示部１０１の表示画面の一例を表す図である。
【００５２】
この図４において、操作者は、日本語ワープロソフト等の文書作成アプリケーションを用い、表示部１０１に表示された入力ウィンドウ５０の中で文書ファイル（この例では「要約書」）の作成を行っている途中であり、この例では文書中の反転部５１に示すように「無線タグ回路素子Ｔo」のテキストについてコピー・アンド・ペーストを行うために反転（選択）させた状態で作業が中断されている（コピーはまだ行われていない）。この例では、上記個人作業情報は、ワープロソフトを表すアプリケーション情報、途中まで（入力ウィンドウ５０中に表示されたところまで）作成された文書ファイル「要約書」の内容を表すファイル情報、及び「無線タグ回路素子Ｔo」のテキストについてコピー・アンド・ペーストを行うために反転（選択）させた手順まで行われたことを表す作業状況情報とから構成される。
【００５３】
なお、上記では中断する直前の作業手順の一例としてテキストの反転（選択）を例にとって説明したが、これに限られない。すなわち、例えばひらがな変換、網掛け等の文字装飾、又は書式の設定・変更等、操作者が文書作成作業に用いるアプリケーション上で行える作業手順であれば、その他の種々の作業手順が含まれるものである。
【００５４】
図５は、上記タグカード作成時にタグカード製造装置３００の制御回路３０２によって実行される制御手順を表すフローチャートである。なお、制御回路３０２は、上記ステップＳ３０においてＰＣ１００の制御回路１０５から送信されたタグ作成指示信号を受信した際にこのフローを開始する。
【００５５】
まずステップＳ１１０において、通信制御部３０８及び接続手段２を介してＰＣ１００の制御回路１０５に制御信号を送信し、上記ステップＳ２０及びステップＳ３０においてＰＣ１００のデータベース１０３に保存された上記タグＩＤ、印字情報、及び個人作業情報を読み出し取得する。
【００５６】
その後、ステップＳ１２０に移り、高周波回路３０１によりアクセス情報を生成して装置側アンテナ３０６を介して無線タグ回路素子Ｔoへ送信し、ＩＣ回路部１５０へ上記ステップＳ１１０で取得したタグＩＤ及び個人作業情報の書き込みを行う。また、上記ステップＳ１１０で取得した印字情報に基づいた印字ヘッド３０５による印字を行う。
【００５７】
そして次のステップＳ１３０で、テープ切断を行って１つの無線タグ回路素子Ｔoを備えたタグカード１を作成し、このルーチンを終了する。
【００５８】
図６は、上記制御によりタグカード製造装置３００で作成されたタグカード１の全体概略構造の一例を表す上面図である。
【００５９】
この図６において、タグカード１はカード状に形成されており、略四角薄板形状の基材２と、この基材２に配置された、情報を記憶するＩＣ回路部１５０とこのＩＣ回路部１５０に接続されるアンテナ１５１とを備えた無線タグ回路素子Ｔoとから構成されている。
【００６０】
基材２の表側（上面）には、このタグカード１を所持する操作者の名前を印字した領域Ｓを備えている。なお、前述したようにこの領域Ｓに印字する印字情報としては個人作業情報に関連する情報であってもよく、また文字に限られず図形や符号、あるいは単なる色塗りや模様等であってもよい。すなわち、何らかの形で操作者や個人作業情報内容を認識・識別できるものであればよい。またタグカード１の大きさは、例えば名刺大等各種サイズのものとして構成できる。通常のＡ４版又はＢ５版等の紙（印刷してもしなくてもよい）に、無線タグ回路素子Ｔoを取り付けた（例えばラベル状のものを貼付した）ものとしてもよい。
【００６１】
無線タグ回路素子Ｔoは、この例では、基材２の面方向中心部（この例では図６の上下方向中心部）より一方側（この例では図６中下方側）に偏って配置されている。言い換えれば、領域Ｓと無線タグ回路素子Ｔoとが平面視においてなるべく重ならないように、配置されている。
【００６２】
図７は、上記タグカード１に備えられた上記無線タグ回路素子Ｔoの機能的構成の一例を表すブロック図である。
【００６３】
図７において、無線タグ回路素子Ｔoは、上記タグカード製造装置３００のアンテナ３０６や後述する無線タグ回路素子Ｔoの読み取り機能を備えたリーダ２００のアンテナ２１０と短波帯(例えば13.56MHz)、ＵＨＦ帯、又はマイクロ波帯等の高周波を用いて非接触で信号の送受信を行うアンテナ１５１(タグ側アンテナ)と、このアンテナ１５１に接続されたＩＣ回路部１５０とを有している。
【００６４】
ＩＣ回路部１５０は、アンテナ１５１により受信された搬送波を整流する整流部１５２と、この整流部１５２により整流された搬送波のエネルギを蓄積しＩＣ回路部１５０の駆動電源とするための電源部１５３と、上記アンテナ１５１により受信された搬送波からクロック信号を抽出して制御部（後述）１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４、及び変復調部１５６等を介して上記無線タグ回路素子Ｔoの作動を制御するための制御部１５７とを備えている。
【００６５】
変復調部１５６は、アンテナ１５１により受信された上記タグカード製造装置３００のアンテナ３０６やリーダ２００のアンテナ２１０からの通信信号の復調を行うと共に、上記制御部１５７からの返信信号に基づき、上記アンテナ３０６，２１０より受信された搬送波を変調反射する。
【００６６】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００６７】
図８は、上記のようにしてタグカード製造装置３００で作成されたタグカード１が有する無線タグ回路素子ＴoのＩＣ回路部１５０の上記メモリ部１５５のデータ構成の一例を表す図である。
【００６８】
この図８に示す例では、無線タグ回路素子ＴoのＩＣ回路部１５０の上記メモリ部１５５に記憶されるデータは、前述したタグ識別情報であるタグＩＤと、操作者による作業中断時の作業状態を表し、アプリケーション情報、ファイル情報及び作業状況情報から構成される個人作業情報とを有している。上記個人作業情報中のアプリケーション情報は、例えば「C:\・・・\・・・\アプリケーション名.ＥＸＥ」といったようなＰＣ１００のデータベース１０３におけるアプリケーションソフトの所在地を示す電子アドレス情報から構成され、また上記ファイル情報も同様に例えば「C:\・・・\・・・\ファイル名」といったファイルデータの所在地を示す電子アドレス情報から構成されている。
【００６９】
また、上記個人作業情報中の作業状況情報は、作業コード（通常：００、選択中：０１、変換中：０２、文字装飾：０３、書式設定中：０４、・・・）、カーソル位置（Ｘ１，Ｙ１）、作業中位置（Ｘ２，Ｙ２）、及び作業対象文字数等の情報を含むものであり、前述したように例えば所定のテキストについてコピー・アンド・ペーストを行うために反転（選択）させた手順まで行われたこと等の具体的な作業状況を表す情報を含んでいる。
【００７０】
なお、アプリケーション情報及びファイル情報としては、上記したようなアドレス情報に限られず、例えばアプリケーションソフトのプログラムデータ自体又はファイルデータ自体を無線タグ回路素子Ｔoのメモリ部１５５に記憶するようにしてもよい。また、メモリ部１５５に記憶されるデータには、詳細にはフォーマットタイプを表すデータや各データ間に挟まれるセパレータ等が含まれるが、簡略化のためここでは図示を省略する。
【００７１】
図９は、上記無線タグシステム１０のうち、ＰＣ１００及びリーダ２００を抽出してその詳細機能を表す機能ブロック図である。
【００７２】
この図９において、リーダ２００は、上記タグカード１に備えられる無線タグ回路素子Ｔoのアンテナ１５１との間で無線通信により信号の授受を行う上記アンテナ２１０と、このアンテナ２１０を介し上記無線タグ回路素子ＴoのＩＣ回路部１５０へアクセスする（この例では読み取りを行う）とともに、無線タグ回路素子Ｔoから読み出された信号を処理する高周波回路２０１と、高周波回路２０１を介し無線タグ回路素子ＴoのＩＣ回路部１５０から読み出された信号を処理して情報を読み出すとともに無線タグ回路素子ＴoのＩＣ回路部１５０へアクセスするためのアクセス情報を生成する機能を含み、リーダ２００全体の動作を制御する制御回路２０２と、操作者が操作可能な適宜のボタン、キー等を備えた操作部２０３と、上記ＰＣ１００との間で接続手段３を介して行われる通信の制御を行う通信制御部２０４とを有する。
【００７３】
このような構成において、上記リーダ２００でタグカード１の無線タグ情報を読み取る際には、タグカード１をリーダ２００側に近接させる（通信可能範囲に存在させる）。このとき、前述したように、タグカード１の無線タグ回路素子ＴoのＩＣ回路部１５０には、操作者による作業中断時の作業状態を表す個人作業情報が記憶保持されており、この情報がリーダ２００側に取得されることで、当該個人作業情報中のアプリケーション情報、ファイル情報及び作業状況情報に基づいてＰＣ１００のデータベース１０３よりアプリケーションが読み込まれると共にファイルが作業中断時の状態で開かれ、作業中断時の作業状況が表示部１０１に再現される。
【００７４】
図１０は、上記タグカード１の無線タグ情報の読み取り時にＰＣ１００の制御回路１０５によって実行される制御手順を表すフローチャートである。
【００７５】
この図１０において、まずステップＳ２１０において、通信制御部１０４及び接続手段３を介してリーダ２００の制御回路２０２に対し、タグカード１の無線タグ情報を読み取るためのタグ読み取り指示信号を送信する。
【００７６】
次のステップＳ２２０では、上記タグ読み取り指示信号を受信したリーダ２００がタグカード１の無線タグ回路素子Ｔoに対し記憶された情報を読み取るための信号を送信し、これに対応して無線タグ回路素子Ｔoから送信（返信）されたリプライ信号が、リーダ２００から接続手段３を介して受信されたか否かを判定する。リーダ２００からリプライ信号が受信されていなければ判定が満たされず、本ステップを繰り返す。リプライ信号が受信されたら判定が満たされ、次のステップＳ２３０へ移る。
【００７７】
ステップＳ２３０では、上記リーダ２００から受信されたリプライ信号の中から、操作者による作業中断時の作業状態を表す個人作業情報を読み出して取得する。なお、この読み出した情報は適宜の記憶手段（例えば制御回路１０５が有するメモリ等）に一時的に記憶される。
【００７８】
次に、ステップＳ２４０において、上記ステップＳ２３０で取得した個人作業情報中のアプリケーション情報及びファイル情報を元にデータベース１０３へ電子ファイルデータ及びアプリケーションの問い合わせを行う。
【００７９】
次のステップＳ２５０において、上記ステップＳ２４０の問い合わせに対応した電子ファイルのデータをデータベース１０３から読み出すと共に、上記問い合わせに対応するアプリケーション（例えば日本語ソフト、描画ソフト等）を取得する。なお、これら読み出した電子ファイルデータ及びアプリケーションデータは適宜の記憶手段（例えば制御回路１０５が有するメモリ等）に一時的に記憶される。
【００８０】
そして、ステップＳ２６０において、上記ステップＳ２５０で取得したアプリケーションを起動させる。
【００８１】
その後、ステップＳ２７０において、上記ステップＳ２３０で取得した個人作業情報中の作業状況情報に基づき、上記起動したアプリケーション上で電子ファイルを開く。すなわちこの例では、前述の図４に示すように、アプリケーションとして日本語ワープロソフトが起動され、作成途中の文書「要約書」が開かれ、「無線タグ回路素子Ｔo」のテキストが反転（選択）された状態が表示部１０１に再現される。これにより、操作者は中断前に行おうとしてた作業、すなわち「無線タグ回路素子Ｔo」のテキストのコピー・アンド・ペーストを直ちに再開することができるようになっている。そして本フローを終了する。
【００８２】
図１１は、上記タグカード１の無線タグ情報の読み取り時にリーダ２００の制御回路２０２によって実行される制御手順を表すフローチャートである。なお、制御回路２０２は、上記ステップＳ２１０においてＰＣ１００の制御回路１０５から送信されたタグ読み取り指示信号を受信した際にこのフローを開始する。
【００８３】
この図１１において、まずステップＳ３１０では、高周波回路２０１及びアンテナ２１０を介し、タグカード１の無線タグ回路素子ＴoのＩＣ回路部１５０に記憶された情報を読み取るための信号を送信させる。詳細には、例えば、無線タグ回路素子Ｔoに記憶された情報を読み出すための「Scroll ALL ID」信号（又は「Ping」信号）を生成して高周波回路２０１を介して通信範囲内に存在する無線タグ回路素子Ｔoに送信させ、返信を促す。
【００８４】
その後、ステップＳ３２０に移り、上記「Scroll ALL ID」信号に対応し無線タグ回路素子Ｔoから送信（返信）されたリプライ信号がリーダ２００のアンテナ２１０を介し受信され、高周波回路２０１を介し制御回路２０２へ取り込まれたかどうかを判定する。この判定は、上記リプライ信号を取得したリーダ２００の制御回路２０２からリプライ信号が受信されたか否かによって判定する。
【００８５】
リーダ２００からリプライ信号が受信されていなければ判定が満たされず、ステップＳ３１０に戻って同様の手順を繰り返す。リプライ信号が受信されたらステップＳ３２０の判定が満たされ、次のステップＳ３３０へ移る。
【００８６】
ステップＳ３３０では、通信制御部２０４及び接続手段３を介してＰＣ１００の制御回路１０５に対し、上記受信したリプライ信号を送信し、本フローを終了する。
【００８７】
以上において、ＰＣ１００の制御回路１０５によって実行されるステップＳ４０は、請求項１記載の個人作業情報又はこれに対応する情報を無線タグ作成装置において第１通信手段を介し無線タグ回路素子へ送信し、ＩＣ回路部へ書き込むための書き込み制御信号を出力する書き込み制御信号出力手段を構成する。また、上記ステップＳ４０においてＰＣ１００の制御回路１０５からタグカード製造装置３００に対し出力されるタグカード１の作成指示を行うためのタグ作成指示信号が、請求項１記載の個人作業情報又はこれに対応する情報を無線タグ作成装置において第１通信手段を介し無線タグ回路素子へ送信しＩＣ回路部へ書き込むための書き込み制御信号に相当する。
【００８８】
さらに、ＰＣ１００の制御回路１０５によって実行されるステップＳ２１０は、請求項１０記載の個人作業情報又はこれに対応する情報を前記無線タグ回路素子から読み取るための読み取り制御信号を出力する読み取り制御信号出力手段を構成する。また、上記ステップＳ２１０においてＰＣ１００の制御回路１０５からリーダ２００に対し出力されるタグカード１の無線タグ情報の読み取り指示を行うためのタグ読み取り指示信号が、請求項１０記載の個人作業情報又はこれに対応する情報を無線タグ回路素子から読み取るための読み取り制御信号に相当する。
【００８９】
以上のように構成した本実施形態のＰＣ１００においては、操作者は、表示部１０１に表示を行わせつつ、操作部１０２を介し操作入力を行い、所定の作業を行う。このとき、このＰＣ１００は、無線タグ回路素子Ｔoと無線通信可能なアンテナ３０６を備えたタグカード製造装置３００に接続されており、当該ＰＣ１００の制御回路１０５によってタグカード製造装置３００に対しタグ作成指示信号が出力される。これにより、操作者の現在の個人作業情報が、タグカード製造装置３００のアンテナ３０６を介し無線タグ回路素子ＴoのＩＣ回路部１５０に書き込まれ、タグカード１が作成される。
【００９０】
そして、作業を再開する際には、上記タグカード製造装置３００で作成されたタグカード１の無線タグ回路素子Ｔoに記憶された個人作業情報がリーダ２００により読み取られることで、当該個人作業情報に基づいて作業中断時の作業状況が表示部１０１に再現される。
【００９１】
このように、操作者が例えば急な来客又は電話に出る等の何らかの事情により作業途中で作業を中断し、後になって異なる時間に同じ端末で当該中断時の作業状況より作業を再開したい場合において、当該無線タグ回路素子Ｔoより読み取った個人作業情報を用いて、容易に中断時の作業状況を再現することができる。
【００９２】
また、本実施形態では特に、タグカード１の無線タグ回路素子Ｔoに書き込む個人作業情報にアプリケーションを用いて行っているファイルの作業状況を表す作業状況情報を含める。これにより、操作者が所定のアプリケーションを用いて表示部１０１に表示させつつ（又は操作部１０２により編集しつつ）ファイルを使用していたとき、何らかの事情で作業途中で作業を中断した場合であっても、後になって容易に中断時の当該アプリケーションファイルの表示状態（又は編集状態）を再現することができる。
【００９３】
また、本実施形態では特に、ＰＣ１００の制御回路１０５が作業中止後所定の時間経過後に自動的にタグ作成処理を開始し、タグカード製造装置３００にタグ作成指示信号の送信を行う。これにより、操作者が特に何らかの操作を行わなくても、所定のタイミングが到来することで自動的に操作者の現在の個人作業情報が無線タグ回路素子ＴoのＩＣ回路部１５０に書き込まれるので、操作者の操作負担がなく、さらに容易に中断時の作業状況を再現することができる。
【００９４】
また、本実施形態では特に、ＰＣ１００の制御回路１０５により、表示部１０１の表示切り替え（いわゆるスクリーンセーバの動作）に連動して自動的にタグ作成処理を開始する。このように表示切り替えに連動してタグ作成処理を開始することで、操作者に対しタグ作成を開始したことを視覚的に報知することができる。
【００９５】
なお、上記実施形態では、単一のアプリケーションを用いて作業（この例では日本語ワープロソフトを用いて文書作成作業）を行っている場合を例にとって説明したが、これに限られず、例えば描画ソフトを用いて図面を作成しつつワープロソフトを用いて文書を作成するといったように、複数のアプリケーションを用いて複数の作業を行っている場合にも、本発明は適用可能である。この場合、図１２に示すように、無線タグ回路素子ＴoのＩＣ回路部１５０のメモリ部１５５に対し、アプリケーション１（例えば描画ソフト）に対応するアプリケーション情報、ファイル情報及び作業状況情報と、アプリケーション２（例えばワープロソフト）に対応するアプリケーション情報、ファイル情報及び作業状況情報とを書き込み、タグカード１を作成すればよい。これにより、操作者が複数のアプリケーションを用いて作業を行っていた場合であっても、その作業状況を再現することができる。
【００９６】
次に、本発明の他の実施の形態を図面を参照しつつ説明する。本実施形態は、ネットワークに複数の端末が接続されている場合において、端末で作業を途中で中断した操作者がその後他の端末で作業環境を復元して作業を再開する場合の例である。
【００９７】
図１３は、本実施形態の情報端末であるＰＣ１００Ａ，１００Ｂ・・・を有する無線タグシステム１０Ａ，１０Ｂ・・・を含むネットワークシステムの全体構成を表すシステム構成図である。
【００９８】
この図１３に示すように、本実施形態においては、複数のＰＣ１００Ａ，１００Ｂ・・・は、例えばインターネット等の有線あるいは無線による通信回線５を介し、複数の各種電子ファイルを読み出し可能に格納保持するサーバ７に接続されている。上記ＰＣ１００Ａ，１００Ｂ・・・は、上記一実施形態と同様に、接続手段２，３を介してタグカード１を作成するタグカード製造装置３００及びタグカード１の無線情報を読み取るリーダ２００とそれぞれ接続されており、これにより複数の無線タグシステム１０Ａ，１０Ｂ・・・がそれぞれ構築されている。
【００９９】
このネットワークシステムでは、サーバ７に各種アプリケーションや各種ファイルデータ等が格納されており、操作者によって各ＰＣ１００Ａ，１００Ｂ・・・で行われる作業は、サーバ７から各種アプリケーションや各種ファイルデータが各ＰＣ上のメモリに読み出されることで行われる。そして、作業により作成・編集等された各種ファイルデータは、サーバ７に保存されるようになっている。
【０１００】
以下、操作者が無線タグシステム１０ＡのＰＣ１００Ａで行っていた作業を中断し、その他の端末、すなわち無線タグシステム１０ＢのＰＣ１００Ｂで作業を再開する場合を例にとって説明する。まず、無線タグシステム１０Ａで行われるタグカード１の作成について説明する。
【０１０１】
図１４は、上記ネットワークシステムの複数の無線タグシステムのうち、無線タグシステム１０ＡのＰＣ１００Ａ及びタグカード製造装置３００を抽出してその詳細機能を表す機能ブロック図であり、前述の図２に対応する図である。この図１４において図２と同様の部分には同符号を付し説明を省略する。
【０１０２】
この図１４において、ＰＣ１００Ａは、上記実施形態と同様の表示部１０１及び操作部１０２と、各種アプリケーションソフトや電子ファイル等が格納される上記サーバ７と通信回線５を介して行われる通信、及び上記タグカード製造装置３００との間で接続手段２を介して行われる通信の制御を行う通信制御部１０４と、これら表示部１０１、操作部１０２及び通信制御部１０４を含むＰＣ１００Ａ全体の動作を制御する制御回路１０５Ａとを有する。
【０１０３】
本実施形態においては、操作者がＰＣ１００Ａにおいて上記操作部１０２を用いて作業（例えば文書ファイルの作成等）を行っている最中に、例えば急な来客又は電話に出る等の事情により途中で作業を中断した場合、作業中止後所定の時間経過後に、当該操作者によるＰＣ１００Ａの表示部１０１における作業環境を表す個人作業情報（この例では操作者によりデスクトップ上に作成されたショートカットに関わるショートカット情報）がサーバ７に保存されるとともに、ＰＣ１００Ａからタグ作成指示信号が接続手段２を介してタグカード製造装置３００に対し送信される。当該信号を受信したタグカード製造装置３００は、上記操作者又は個人作業情報に基づく所定の印字を印字ヘッド３０５により行うと共に、高周波回路３０１によりアクセス情報を生成して装置側アンテナ３０６を介して無線タグ回路素子Ｔoに送信し、無線タグ回路素子ＴoのＩＣ回路部１５０へ上記個人作業情報（ショートカット情報）の書き込みを行う。このようにして、上記個人作業情報を記憶させたタグカード１が作成される。
【０１０４】
図１５は、上記タグカード作成時にＰＣ１００Ａの制御回路１０５Ａによって実行される制御手順を表すフローチャートであり、前述の図３に対応する図である。図３と同様の手順には同符号を付し説明を省略する。
【０１０５】
ステップＳ１０は前述の図３と同様であり、操作者の作業中止後設定時間が経過したか否かによりタグ作成処理を開始するか否かを判定し、経過している場合には判定が満たされて次のステップＳ２０Ａに移る。
【０１０６】
ステップＳ２０Ａでは、操作者によるＰＣ１００Ａの表示部１０１における作業中断時の作業環境を表す個人作業情報（この例ではショートカット情報）を通信制御部１０４及び通信回線５を介してサーバ７に保存する。このショートカット情報は、デスクトップ上におけるショートカットの図柄を表す描画情報、及び当該ショートカットに対応するアプリケーション又はファイルデータのサーバ７における所在を表す電子アドレス情報等から構成されている。
【０１０７】
その後のステップＳ３０及びステップＳ４０は前述の図３と同様であるので説明を省略する。以上で本フローを終了する。
【０１０８】
図１６は、操作者が作業を途中で中断した際のＰＣ１００Ａの表示部１０１の表示画面の一例を表す図である。
【０１０９】
この図１６において、表示部１０１のデスクトップ５５には、所望の作業を行うためのアプリケーションを起動するためのショートカット５２，５３，５４が操作者により複数（この例では３つ）作成されている。この図１６に示す例では、上記個人作業情報は、デスクトップ５５上の全ショートカット５２，５３，５４の各図柄を表す描画情報及び各ショートカットにそれぞれ対応するアプリケーション又はファイルデータのサーバ７における所在を表す電子アドレス情報を有するショートカット情報から構成されている。上記対応するアプリケーション等のサーバ７における所在を表す電子アドレス情報は、例えば「\\server\・・・\」といったような電子アドレス情報から構成されている。
【０１１０】
タグカード製造装置３００の制御回路３０２によって実行される制御内容は、前述の図５と同様であるので説明を省略する。図１７は、このようにしてタグカード製造装置３００で作成されたタグカード１が有する無線タグ回路素子ＴoのＩＣ回路部１５０の上記メモリ部１５５のデータ構成の一例を表す図である。
【０１１１】
この図１７に示すように、無線タグ回路素子ＴoのＩＣ回路部１５０の上記メモリ部１５５に記憶されるデータは、タグ識別情報であるタグＩＤと、ショートカット５２に関わる描画情報及び電子アドレス情報からなるショートカット情報、ショートカット５３に関わる描画情報及び電子アドレス情報からなるショートカット情報、及びショートカット５４に関わる描画情報及び電子アドレス情報からなるショートカット情報から構成される個人作業情報とを有している。
【０１１２】
次に、無線タグシステム１０Ｂで行われるタグカード１の無線タグ情報の読み取りについて説明する。図１８は、上記ネットワークシステムの複数の無線タグシステムのうち、無線タグシステム１０ＢのＰＣ１００Ｂ及びリーダ２００を抽出してその詳細機能を表す機能ブロック図であり、前述の図９に対応する図である。この図１８において図９と同様の部分には同符号を付し説明を省略する。
【０１１３】
この図１８において、ＰＣ１００Ｂは、上記ＰＣ１００Ａと同様に、表示部１０１及び操作部１０２と、各種アプリケーションソフトや電子ファイル等が格納される上記サーバ７と通信回線５を介して行われる通信、及び上記リーダ２００との間で接続手段３を介して行われる通信の制御を行う通信制御部１０４と、これら表示部１０１、操作部１０２、データベース１０３及び通信制御部１０４を含むＰＣ１００Ｂ全体の動作を制御する制御回路１０５Ｂとを有する。
【０１１４】
本実施形態においては、上記リーダ２００でタグカード１の無線タグ情報を読み取る際には、タグカード１をリーダ２００側に近接させる（通信可能範囲に存在させる）。このとき、前述したように、タグカード１の無線タグ回路素子ＴoのＩＣ回路部１５０には、操作者によるＰＣ１００Ａの表示部１０１における作業環境を表す個人作業情報（ショートカット情報）が記憶保持されており、この情報がリーダ２００で読み取られＰＣ１００に取得されることで、当該ショートカット情報に基づいてＰＣ１００Ｂの表示部１０１のデスクトップ上に作業中断時の作業環境（すなわちショートカット）が復元される。
【０１１５】
図１９は、上記タグカード１の無線タグ情報の読み取り時にＰＣ１００Ｂの制御回路１０５Ｂによって実行される制御手順を表すフローチャートであり、前述の図１０に対応する図である。この図１９において、図１０と同様の手順には同符号を付し説明を省略する。
【０１１６】
この図１９において、ステップＳ２１０及びステップＳ２２０は前述の図１０と同様であり、リーダ２００に対しタグ読み取り指示信号を送信し、無線タグ回路素子Ｔoから送信（返信）されたリプライ信号がリーダ２００から受信されたか否かを判定する。リプライ信号が受信されたら判定が満たされ、次のステップＳ２３０Ａへ移る。
【０１１７】
ステップＳ２３０Ａでは、上記リーダ２００から受信されたリプライ信号の中から、操作者によるＰＣ１００Ａの表示部１０１における作業環境を表すショートカット情報を読み出して取得する。なお、この読み出した情報は適宜の記憶手段（例えば制御回路１０５Ｂが有するメモリ等）に一時的に記憶される。
【０１１８】
次のステップＳ２７０Ａでは、上記ステップＳ２３０Ａで取得したショートカット情報に基づき、ＰＣ１００Ｂの表示部１０１のデスクトップ上に作業中断時の作業環境を復元する。すなわちこの例では、前述の図１６に示すようなデスクトップ５５上にショートカット５２，５３，５４が配置された状態が、ＰＣ１００Ｂの表示部１０１のデスクトップ上に復元される。これにより、操作者はＰＣ１００Ａにおける作業環境をＰＣ１００Ｂにおいて復元させ、作業を再開することができるようになっている。そして本フローを終了する。
【０１１９】
以上のように構成した本実施形態によれば、操作者が例えば急な来客又は電話に出る等の何らかの事情により作業途中で作業を中断し、後になって異なる端末で当該中断時の作業環境で作業を再開したい場合において、当該無線タグ回路素子Ｔoより読み取った個人作業情報（ショートカット情報）を用いて、容易に中断時の作業環境（この例ではデスクトップ上のショートカット）を再現することができる。
【０１２０】
また、本実施形態では特に、ＰＣ１００Ａの表示部１０１に表示されていたすべてのショートカットに関するショートカット情報を無線タグ回路素子ＴoのＩＣ回路部１５０へ書き込む。これにより、もとのＰＣ１００Ａにおいて操作者が設定していたすべてのショートカットを、異なるＰＣ１００Ｂにおいて再現する（言い換えればショートカット設定を複製する）ことができる。
【０１２１】
なお、上記他の実施形態では、デスクトップ上にあるショートカットの全てについて自動的に保存するようにしたが、通常デスクトップ上には多種多様なショートカットが作成されており特に作業に必要のないショートカットが存在する場合もあることから、デスクトップ上のショートカットのうち選択された一部のショートカットのみ保存するようにしてもよい。図２０は、この場合の変形例において、タグカード作成時にＰＣ１００Ｂの制御回路１０５Ｂ（図示せず）によって実行される制御手順を表すフローチャートであり、前述の図１５に対応する図である。図１５と同様の手順には同符号を付し説明を省略する。
【０１２２】
この図２０において、ステップＳ１０は前述の図１５と同様であり、操作者の作業中止後設定時間が経過したか否かによりタグ作成処理を開始するか否かを判定し、経過している場合には判定が満たされて次のステップＳ１２に移る。
【０１２３】
ステップＳ１２では、ショートカットを全部保存するか否かを判定する。この判定は、例えば表示部１０１に制御信号を出力してショートカットを全部保存するか否かの問い合わせ画面を表示させ、操作者により操作部１０２を介して全てのショートカットを保存する旨の入力があったか否かにより判定する。全部保存する場合には判定が満たされ、次のステップＳ２０Ｂに移る。一方、操作者により一部のショートカットを保存する旨の入力があった場合には、判定が満たされずにステップＳ１４へ移る。
【０１２４】
ステップＳ１４では、保存するショートカットが選択されたか否かを判定する。この判定は、例えば表示部１０１に制御信号を出力してショートカットの選択画面（例えばショートカット一覧）を表示させ、操作者により操作部１０２を介して保存するショートカットの選択入力があったか否かにより判定する。なお、このようにタグカード作成の際に操作者により選択入力するのではなく、予め保存するショートカットを選択して記憶させておいてもよい。選択されるまで本ステップを繰り返し、選択された場合には判定が満たされて次のステップＳ２０Ｂに移る。
【０１２５】
次のステップＳ２０Ｂでは、ショートカットを全部保存する場合には作業中断時におけるデスクトップ上の全てのショートカット情報を、ショートカットを一部保存する場合には上記ステップＳ１４で選択されたショートカット情報を、通信制御部１０４及び通信回線５を介してサーバ７に保存する。
【０１２６】
その後のステップＳ３０及びステップＳ４０は前述の図１５と同様であるので、説明を省略する。
【０１２７】
以上により、操作者は選択した所望のショートカットのみ復元させることが可能となる。
【０１２８】
また、上記他の実施形態では、個人作業情報としてショートカット情報を無線タグ回路素子Ｔoに記憶させ、デスクトップ上のショートカットを復元するようにしたが、これに限られず、ファイルデータ等を収納する電子ホルダの情報を無線タグ回路素子Ｔoに記憶させ、デスクトップ上のホルダを復元するようにしてもよい。
【０１２９】
図２１は、操作者が作業を途中で中断した際のＰＣ１００Ａの表示部１０１の表示画面の一例を表す図である。
【０１３０】
この図２１において、表示部１０１のデスクトップ５９には、電子ファイル等のデータを収納するホルダ５６，５７，５８が操作者により複数（この例では３つ）作成されている。この図２１に示す例では、上記個人作業情報は、デスクトップ５９上の全ホルダ５６，５７，５８の各図柄を表す描画情報及び各ホルダに収納される電子ファイル等のデータの情報を有するホルダ情報から構成されており、この個人作業情報が無線タグ回路素子Ｔoに書き込まれてタグカード１が作成される。
【０１３１】
なお、前述のショートカット情報及び上記ホルダ情報の両方を無線タグ回路素子Ｔoに記憶させ、デスクトップ上に復元するようにしてもよい。
【０１３２】
なお、本発明は、上記の各実施形態に限られず、その趣旨と技術思想の範囲を逸脱しない範囲で更に種々の変形が可能である。以下その変形例を説明する。
【０１３３】
（１）操作者が手動でタグ作成指示入力する場合
上記一実施形態及び他の実施形態では、操作者の作業中止後設定時間が経過した後自動的にタグ作成処理を行うようにしたが、これに限られず、タグ作成を行うか否かを操作者に確認し、作成指示の入力があるまでタグ作成処理を行わないようにしてもよい。
【０１３４】
図２２は、本変形例において、タグカード作成時にＰＣ１００Ｃの制御回路１０５Ｃ（図示せず）によって実行される制御手順を表すフローチャートであり、前述の図３等に対応する図である。図３等と同様の手順には同符号を付し説明を省略する。
【０１３５】
図２２において、まずステップＳ５では、操作者の作業中止後予め設定された所定時間が経過したか否かを判定する。この設定時間は、例えば表示部１０１の表示切り替え（いわゆるスクリーンセーバの動作）が行われるまでの設定時間等である。設定時間が経過した場合には、判定が満たされて次のステップＳ７に移る。
【０１３６】
ステップＳ７では、表示部１０１に制御信号を出力し、タグ作成処理を開始するか否かの問い合わせ画面（例えば「作業を中断してタグを作成しますか？又は作業を継続しますか？」等）を表示させる。
【０１３７】
次のステップＳ１０Ａでは、上記画面表示を見た操作者により操作部１０２を介してタグ作成開始指示入力があったか否かを判定する。作成指示入力がない場合（例えば上記の例で「作業継続」が選択された場合）には、判定が満たされずに本フローを終了する。作成指示入力があった場合には、判定が満たされて次のステップＳ１５に移る。
【０１３８】
ステップＳ１５では、表示部１０１に制御信号を出力し、操作者を認証するための認証情報（例えばパスワード等）の入力画面を表示させる。
【０１３９】
次のステップＳ１７では、上記画面にしたがって操作者により操作部１０２を介して入力された認証情報が正しいか否かを判定する。正しくない場合には、判定が満たされずにステップＳ１８に移り、表示部１０１に制御信号を出力してエラーメッセージ（例えば「パスワードが不正です」等）を表示させる。そして、本フローを終了する。一方、入力された認証情報が正しい場合には、判定が満たされて次のステップＳ２０に移る。この後のステップＳ２０〜ステップＳ４０は前述の図３と同様であるので説明を省略する。
【０１４０】
以上説明した変形例においては、操作者が例えば急な来客等の事情により途中で作業を中断して席を外すと、その後所定の時間が経過した際にタグ作成処理を開始する前の状態で表示部１０１に上記確認画面が表示される。用が済み席に戻った操作者がそのまま作業を継続する場合には、「作業継続」が選択されてタグ作成処理は行われず、作業を中断する場合には、「タグ作成開始」が選択されてＰＣ１００からタグカード製造装置３００に対しタグ作成指示信号が送信され、個人作業情報（作業状態を表すアプリケーション情報等、及び作業環境を表すショートカット情報を含む）が書き込まれたタグカード１の作成が行われる。このように、本変形例によれば、操作者に対し、最終的なタグ作成実行確認を行うことができる。
【０１４１】
なお、以上では操作者により作成指示入力があった後に認証情報の入力を要求するようにしたが、これに限られず、作成指示入力があった場合には認証情報の入力がなくともタグ作成を行うようにしてもよい。
【０１４２】
（２）個人作業情報の識別情報をタグに書き込む場合
上記においては、無線タグ回路素子Ｔoに個人作業情報としての作業状態を表すアプリケーション情報等（アプリケーション情報、ファイル情報、作業状況情報）を書き込み、作業再開時に作業状況を再現する場合と、無線タグ回路素子Ｔoに個人作業情報としての作業環境を表すショートカット情報を書き込み、作業再開時に作業環境を復元する場合とを一実施形態及び他の実施形態に分けて説明したが、どちらにも対応可能な構成としてもよい。
【０１４３】
この場合、個人作業情報が作業状態を表すアプリケーション情報等であるか、若しくは作業環境を表すショートカット情報であるかを識別する識別情報（識別子）を、当該個人作業情報と共に無線タグ回路素子Ｔoに記憶させる。図２３はこのときの無線タグ回路素子ＴoのＩＣ回路部１５０の上記メモリ部１５５のデータ構成の一例を表す図である。図２３（Ａ）は個人作業情報がアプリケーション情報等であることを示す識別情報が書き込まれた場合を示しており、図２３（Ｂ）は個人作業情報がショートカット情報であることを示す識別情報が書き込まれた場合を示している。
【０１４４】
このような構成とすることで、本変形例においては、上記リーダでタグカード１の無線タグ情報を読み取った際に上記識別情報がリーダ側に取得され、個人作業情報の内容に応じてＰＣにより前述した図１０又は図１９のフローが実行される。これにより、個人作業情報がアプリケーション情報等である場合には当該アプリケーションを用いた作業状態が表示部１０１に再現され、個人作業情報がショートカット情報である場合には作業中断時のショートカットが表示部１０１のデスクトップ上に復元される。このように、本変形例によれば、識別情報の種類に応じて迅速かつ円滑に当該識別情報に対応した作業状況の再現又は作業環境の復元を行うことができる。
【０１４５】
（３）個人情報のうちタグに書込むべきものとそうでないものを判別する場合
操作者による現在の個人作業情報のうち、無線タグ回路素子ＴoのＩＣ回路部１５０へ書き込むべき情報と書き込まない情報とを判別するようにしてもよい。
【０１４６】
図２４は、本変形例においてタグカード作成時に制御回路によって実行される制御手順を表すフローチャートであり、前述の図３等に対応する図である。この図２４において、図３と同様の手順には同符号を付し説明を省略する。
【０１４７】
この図２４において、ステップＳ１０は図３と同様であり、操作者の作業中止後当該設定時間が経過した場合には判定が満たされて次のステップＳ１５に移る。
【０１４８】
ステップＳ１５では、操作者による作業中断時の作業状態を表す個人作業情報のうち、無線タグ回路素子ＴoのＩＣ回路部１５０へ書き込むべき情報と書き込まない情報とを判別する。この判別基準は予め操作者により設定できるようになっており、具体的には例えば複数のアプリケーションを用いて作業を行っている場合に特定のアプリケーションのみの作業情報を判別して書き込む場合や、デスクトップ上にある複数のショートカット中の特定のショートカット情報のみ判別して書き込む場合等が挙げられるが、これに限定するものではない。
【０１４９】
次のステップＳ２０では、上記判別された個人作業情報をデータベース１０３に保存する。その後のステップＳ３０〜ステップＳ４０は、前述の図３と同様であるので説明を省略する。
【０１５０】
上記において、制御回路によって実行されるステップＳ１５は、請求項２記載の操作者による現在の個人作業情報のうち無線タグ回路素子のＩＣ回路部へ書き込むべき情報と書き込まない情報とを判別する判別手段を構成する。
【０１５１】
本変形例によれば、不要な情報が無線タグ回路素子ＴoのＩＣ回路部１５０に書き込まれるのを防止し、操作者によって必要な個人作業情報のみ書き込むことができるので、利便性をさらに向上できると共に、ＩＣ回路部１５０の記憶容量の無駄な使用を防止することができる。
【０１５２】
（４）その他
以上においては、個人作業情報（作業状態を表すアプリケーション情報等、及び作業環境を表すショートカット情報を含む）のデータ自体を無線タグ回路素子ＴoのＩＣ回路部１５０に書き込むようにしたが、これに限られず、当該個人作業情報はＰＣ１００のデータベース１０３やサーバ７等に格納しておき、これと対応付けられた識別情報（タグＩＤ等）のみ無線タグ回路素子ＴoのＩＣ回路部１５０に書き込むようにしてもよい。
【０１５３】
また、上記一実施形態においては、アプリケーションや作業ファイルのデータを共用端末であるＰＣ１００のデータベース１０３に格納し、当該共用端末ＰＣ１００を複数の操作者で利用する場合を例にとって説明したが、これに限られず、他の実施形態のようにアプリケーションや作業ファイルのデータをネットワークに接続されたサーバに格納し、端末で作業を途中で中断した操作者がその後他の端末で作業状態を再現して作業を再開する場合にも適用可能である。
【０１５４】
また、以上においては、作成したタグカード１の再利用について特に述べなかったが、タグカード１が有する無線タグ回路素子Ｔoの無線タグ情報を書き換えると共に、例えば書き換えた情報に対応する印字を行った通常のラベル（無線タグ回路素子Ｔoを有しないラベル）を印字領域Ｓの上に貼り付けることで、タグカード１を別の用途（別の操作者の個人作業情報書き込み用等）に用いることが可能である。
【０１５５】
また、以上においては、フローチャートにおいて特にキャンセル手順を含めなかったが、適宜の位置に操作者によるキャンセルの手順（キャンセルするか否かを操作者に確認する確認画面を表示する手順とキャンセル入力があったか否かを判定する手順）を含めるようにしてもよい。例えば、図３等でタグ作成処理を開始した後（すなわちステップＳ１０の判定が満たされた後）でも処理をキャンセルできるように、ステップＳ２０〜ステップＳ４０の適宜の位置にキャンセル手順を含めるようにしてもよいし、例えば図２０においてステップＳ１２とステップＳ１４との間にキャンセル手順を含め、保存するショートカットの選択をする間に処理をキャンセルできるようにしてもよい。
【０１５６】
また、以上においては、印字及び無線タグ回路素子Ｔoへのアクセスの終了した印字済みタグラベル用テープ３０３をカッタ３０７で切断してタグカード１を作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、カッタ３０７で切断しなくても、テープが排出口から排出されてきた後にラベル台紙（アクセス済みの無線タグ回路素子Ｔoが備えられかつ対応する印字がなされたもの）のみをテープから剥がしてタグカード１を作成しても良く、本発明はこのようなものに対しても適用できる。
【０１５７】
また、以上においては、無線タグ回路素子ＴoのＩＣ回路部１５０に無線タグ情報の書き込みを行うと共に、印字ヘッド３０５によってその無線タグ回路素子Ｔoを識別するための印刷を行うことによりタグカード１を作成するようにしたが、これに限られない。この印刷は必ずしも行われなくともよく、無線タグ情報の書き込みのみを行うものに対し本発明を適用することもできる。
【０１５８】
さらに、以上は、タグテープがリール部材の周りに巻回されてロールを構成し、タグテープロールホルダ部３１０内にそのロールが配置されてタグテープが繰り出される場合を例にとって説明したが、これに限られない。例えば、無線タグ回路素子Ｔoが少なくとも一つ配置された長尺平紙状あるいは短冊状のテープやシート（ロールに巻回されたテープを繰り出した後に適宜の長さに切断して形成したものを含む）を、所定の収納部にスタックして（例えばトレイ状のものに平積み積層して）カートリッジ化し、このカートリッジをタグカード製造装置側のタグテープロールホルダ部に装着して、上記収納部から移送、搬送して印字及び書き込みを行いタグカード１を作成するようにしてもよい。
【０１５９】
さらには長尺平紙状あるいは短冊状のテープやシートをタグカード製造装置３００外より１枚ずつ所定のフィーダ機構によって移送しタグカード製造装置３００内へ供給する構成も考えられる。この場合も同様の効果を得る。
【０１６０】
なお、以上で用いた「Scroll ALL ID」信号、「Ping」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１６１】
また、以上既に述べた以外にも、上記実施形態や各変形例による手法を適宜組み合わせて利用しても良い。
【０１６２】
その他、一々例示はしないが、本発明は、その趣旨を逸脱しない範囲内において、種々の変更が加えられて実施されるものである。
【図面の簡単な説明】
【０１６３】
【図１】本発明の一実施形態の情報端末であるＰＣを含む無線タグシステム全体を表すシステム構成図である。
【図２】無線タグシステムのうち、ＰＣ及びタグカード製造装置を抽出してその詳細機能を表す機能ブロック図である。
【図３】タグカード作成時にＰＣの制御回路によって実行される制御手順を表すフローチャートである。
【図４】操作者が作業を途中で中断した際のＰＣの表示部の表示画面の一例を表す図である。
【図５】タグカード作成時にタグカード製造装置の制御回路によって実行される制御手順を表すフローチャートである。
【図６】タグカード製造装置で作成されたタグカードの全体概略構造の一例を表す上面図である。
【図７】タグカードに備えられた上記無線タグ回路素子の機能的構成の一例を表すブロック図である。
【図８】タグカード製造装置で作成されたタグカードが有する無線タグ回路素子のＩＣ回路部のメモリ部のデータ構成の一例を表す図である。
【図９】無線タグシステムのうち、ＰＣ及びリーダを抽出してその詳細機能を表す機能ブロック図である。
【図１０】タグカードの無線タグ情報の読み取り時にＰＣの制御回路によって実行される制御手順を表すフローチャートである。
【図１１】タグカードの無線タグ情報の読み取り時にリーダの制御回路によって実行される制御手順を表すフローチャートである。
【図１２】複数のアプリケーションを用いて複数の作業を行っている場合の変形例における無線タグ回路素子のＩＣ回路部のメモリ部のデータ構成の一例を表す図である。
【図１３】本発明の他の実施形態の情報端末であるＰＣを有する無線タグシステムを含むネットワークシステムの全体構成を表すシステム構成図である。
【図１４】ネットワークシステムの複数の無線タグシステムのうち、無線タグシステムのＰＣ及びタグカード製造装置を抽出してその詳細機能を表す機能ブロック図である。
【図１５】タグカード作成時にＰＣの制御回路によって実行される制御手順を表すフローチャートである。
【図１６】操作者が作業を途中で中断した際のＰＣの表示部の表示画面の一例を表す図である。
【図１７】タグカードが有する無線タグ回路素子のＩＣ回路部のメモリ部のデータ構成の一例を表す図である。
【図１８】ネットワークシステムの複数の無線タグシステムのうち、無線タグシステムのＰＣ及びリーダを抽出してその詳細機能を表す機能ブロック図である。
【図１９】タグカードの無線タグ情報の読み取り時にＰＣの制御回路によって実行される制御手順を表すフローチャートである。
【図２０】デスクトップ上のショートカットのうち選択された一部のショートカットを保存する変形例において、タグカード作成時にＰＣの制御回路によって実行される制御手順を表すフローチャートである。
【図２１】デスクトップ上のホルダを保存する変形例において、操作者が作業を途中で中断した際のＰＣの表示部の表示画面の一例を表す図である。
【図２２】操作者が手動でタグ作成指示入力する場合の変形例における無線タグ回路素子のＩＣ回路部のメモリ部のデータ構成の一例を表す図である。
【図２３】個人作業情報の識別情報をタグに書き込む場合の変形例における無線タグ回路素子のＩＣ回路部のメモリ部のデータ構成の一例を表す図である。
【図２４】個人情報のうちタグに書込むべきものとそうでないものを判別する場合の変形例においてタグカード作成時に制御回路によって実行される制御手順を表すフローチャートである。
【符号の説明】
【０１６４】
１００          ＰＣ（情報端末）
１００Ａ，Ｂ    ＰＣ（情報端末）
１０１          表示部（第１表示手段、第２表示手段）
１０２          操作部（作業用操作手段、書き込み指示用操作手段）
１０５          制御回路（書き込み制御信号出力手段）
１０５Ａ        制御回路（書き込み制御信号出力手段）
１５０          ＩＣ回路部
１５１          アンテナ(タグ側アンテナ)
２００          リーダ（無線タグ情報読み取り装置）
２０２          制御回路（読み取り制御信号出力手段）
２１０          アンテナ（第２通信手段）
３００          タグカード製造装置（無線タグ作成装置）
３０６          アンテナ（第１通信手段）
Ｔo             無線タグ回路素子
【図１】
2008065450.tif 000003
【図２】
2008065450.tif 000004
【図３】
2008065450.tif 000005
【図４】
2008065450.tif 000006
【図５】
2008065450.tif 000007
【図６】
2008065450.tif 000008
【図７】
2008065450.tif 000009
【図８】
2008065450.tif 000010
【図９】
2008065450.tif 000011
【図１０】
2008065450.tif 000012
【図１１】
2008065450.tif 000013
【図１２】
2008065450.tif 000014
【図１３】
2008065450.tif 000015
【図１４】
2008065450.tif 000016
【図１５】
2008065450.tif 000017
【図１６】
2008065450.tif 000018
【図１７】
2008065450.tif 000019
【図１８】
2008065450.tif 000020
【図１９】
2008065450.tif 000021
【図２０】
2008065450.tif 000022
【図２１】
2008065450.tif 000023
【図２２】
2008065450.tif 000024
【図２３】
2008065450.tif 000025
【図２４】
2008065450.tif 000026